(57)【要約】【課題】遺体保存に伴う作業性、安全性、取扱性の改善を図ることにある。【解決手段】遺体保存用抗菌消臭剤は、遺体の周囲に配置される抗菌消臭剤であって、穀物抽出成分と、希釈成分とを備えている。穀物抽出成分は、穀物から抽出された成分である。希釈成分は、穀物抽出成分を希釈するための成分である。【選択図】      図２
2004224724.tif 000002
【特許請求の範囲】
【請求項１】
遺体の周囲に配置される抗菌消臭剤であって、
穀物から抽出された穀物抽出成分と、
前記穀物抽出成分を希釈するための希釈成分と、
を含む遺体保存用抗菌消臭剤。
【請求項２】
遺体の周囲に配置されるシートであって、
穀物から抽出された穀物抽出成分と前記穀物抽出成分を希釈するための希釈成分とを含む抗菌消臭剤を含有する、
遺体保存用シート。
【請求項３】
少なくとも一部が遺体の周囲に配置される遺体保存用具セットであって、
穀物から抽出された穀物抽出成分と前記穀物抽出成分を希釈するための希釈成分とを含む抗菌消臭剤を含有可能なシートと、
前記抗菌消臭剤が充填された容器と、
を備えた遺体保存用具セット。
【請求項４】
前記シートには、前記抗菌消臭剤が予め含浸されている、請求項３に記載の遺体保存用具セット。
【請求項５】
穀物から抽出された穀物抽出成分と前記穀物抽出成分を希釈するための希釈成分とを含む抗菌消臭剤を、遺体の周囲に配置する抗菌消臭剤配置工程と、
前記遺体を棺内に配置する納棺工程と、
を備えた遺体の保存方法。
【請求項６】
抗菌洗浄機能を有する界面活性剤と前記界面活性剤を希釈するための希釈成分とを含む抗菌洗浄剤を含有するシートにより、腔部を含む前記遺体頭部を拭き清める拭き清め工程をさらに備えた、請求項５に記載の遺体の保存方法。
【請求項７】
前記遺体の周囲は、前記遺体頭部の下方を含む、請求項５または６に記載の遺体の保存方法。
【請求項８】
前記抗菌消臭剤配置工程は、前記抗菌消臭剤を含有するシートを前記遺体の周囲に配置するシート配置工程を含む、請求項５から７のいずれかに記載の遺体の保存方法。
【請求項９】
前記抗菌消臭剤配置工程は、前記抗菌消臭剤を前記遺体に対し散布する散布工程を含む、請求項５から８のいずれかに記載の遺体の保存方法。
【発明の詳細な説明】
【０００１】
【発明の属する技術分野】
本発明は、遺体保存用抗菌消臭剤、遺体保存用シート、遺体保存用具セット及び遺体の保存方法に関する。
【０００２】
【従来の技術】
臨終後の遺体は、大脳や内臓から分解が始まり、これによって、外観が損なわれたり、体液の漏出等により異臭が発生したりする。このような問題を解消すべく、従来から、納棺した遺体の周囲にドライアイスを配置して遺体を冷却することにより遺体の腐敗を防止する方法が知られている。
【０００３】
しかし、かかる方法では、遺体の表面部分が冷却されるにとどまり、遺体の内部まで十分に冷却することができず、遺体の腐敗を十分に抑えることができない。このため、遺体の腐敗が進行して異臭が発生し、出棺までに相当の不快感を伴うことがあった。特に、耳、鼻、口等の腔部の多い遺体頭部からは、体液が漏出し易く異臭が発生しやすい。
【０００４】
また、ドライアイスは、昇華によって１ｋｇにつき５０９ｌの二酸化炭素を放出するが、一体の遺体を保存するのに２０ｋｇ用いられるとすると、１回の葬儀で１０．２ｋｌもの二酸化炭素が放出されることとなる。さらに、日本での年間死亡者数が約９７万人（平成１３年の場合）であることを考慮すると、環境的にも無視できない量の二酸化炭素が大気中に放出されることとなる。
【０００５】
そこで、ドライアイスを用いることの弊害を解消すべく、ドライアイスに代えて消臭力の強い二酸化塩素を用いる遺体の保存方法が既に提案されている（例えば、特許文献１参照。）。
この方法では、大気中への二酸化炭素の放出量を抑えることができるとともに、遺体の腐敗の原因となる雑菌等を死滅させることで遺体の腐敗を抑えて、遺体から発生する異臭を消臭することができる。特に、二酸化塩素を含浸させたシート等を遺体頭部の下方等に配置することによって、異臭が発生しやすい部分での消臭効果を高めることができる。
【０００６】
【特許文献１】
特開２００２−８７９０２号公報
【０００７】
【発明が解決しようとする課題】
しかしながら、上記従来の技術で用いられる二酸化塩素は、強い刺激臭を有しているため、遺体保存の際の作業が困難なものとなっており、また、人体に対する毒性が強いため、作業を行う者に対する安全性に欠ける。さらに、二酸化塩素は激しい性質を有しているため、例えば二酸化塩素を不織布等のシートに含浸させて二酸化塩素含有湿式シートを得た場合、その包装材としては、密閉性、耐薬品性等が確保できる比較的堅牢な素材で構成されたものを用いる必要がある。
【０００８】
本発明の目的は、遺体保存に伴う作業性、安全性、取扱性の改善を図ることにある。
【０００９】
【課題を解決するための手段】
請求項１に係る遺体保存用抗菌消臭剤は、遺体の周囲に配置される抗菌消臭剤であって、穀物抽出成分と、希釈成分とを備えている。穀物抽出成分は、穀物から抽出された成分である。希釈成分は、穀物抽出成分を希釈するための成分である。なお、本発明において遺体の周囲という場合は、頭部の下方、頸部の周囲等の遺体に隣接する部分の他、遺体と棺との間の空間も含まれる。
【００１０】
この遺体保存用抗菌消臭剤では、抗菌消臭機能に優れた穀物抽出成分を用いていることから、遺体の周囲に配置することにより遺体からの異臭を抑えることができ、また、従来消臭剤として用いられていた二酸化塩素のような刺激臭がないことから、遺体保存に伴う作業性、取扱性が改善される。また、この抗菌消臭剤では、天然成分である穀物抽出成分を用いているため、二酸化塩素のような人体への影響が殆どなく、遺体保存作業の際の安全性が向上する。
【００１１】
請求項２に係る遺体保存用シートは、遺体の周囲に配置されるシートであって、抗菌消臭剤を含有している。抗菌消臭剤は、穀物から抽出された穀物抽出成分と穀物抽出成分を希釈するための希釈成分とを含む。
この遺体保存用シートは、抗菌消臭機能に優れた穀物抽出成分を構成成分とする抗菌消臭剤を含んでいるため、遺体頭部の下方等の遺体の周囲に配置することにより遺体からの異臭の発生を抑えることができる。また、この遺体保存用シートでは、遺体保存に伴う作業性、取扱性等が改善される。
【００１２】
請求項３に係る遺体保存用具セットは、少なくとも一部が遺体の周囲に配置される遺体保存用具セットであって、シートと、容器とを備えている。シートは、穀物から抽出された穀物抽出成分と穀物抽出成分を希釈するための希釈成分とを含む抗菌消臭剤を含有可能である。容器は、抗菌消臭剤が充填されている。
この遺体保存用具セットを用いて遺体の保存作業を行う場合は、例えば、容器に充填された抗菌消臭剤をシートに含浸させて遺体の周囲に配置したり、或いは、容器そのものを遺体の周囲に配置したりして使用することができる。ここでも、抗菌消臭機能に優れた穀物抽出成分を構成成分とする抗菌消臭剤を用いているため、遺体からの異臭の発生を抑えることができ、また、遺体保存に伴う作業性、取扱性等が改善される。
【００１３】
請求項４に係る遺体保存用具セットは、請求項３の遺体保存用具セットにおいて、シートには、抗菌消臭剤が予め含浸されている。
この遺体保存用具セットでは、特に、湿式のシートを構成物とする保存用具セットによって、異臭の発生が抑えられ、遺体保存に伴う作業性等が改善される。請求項５に係る遺体の保存方法は、抗菌消臭剤配置工程と、納棺工程とを備えている。抗菌消臭剤配置工程では、穀物から抽出された穀物抽出成分と穀物抽出成分を希釈するための希釈成分を含む抗菌消臭剤を、遺体の周囲に配置する。納棺工程では、遺体を棺内に配置する。
【００１４】
この方法では、抗菌消臭機能に優れた穀物抽出成分を構成成分とする抗菌消臭剤を遺体の周囲に配置するため、遺体からの異臭の発生を抑えることができ、また、遺体保存に伴う作業性、取扱性等が改善される。
請求項６に係る遺体の保存方法は、請求項５の遺体の保存方法において、拭き清め工程をさらに備えている。拭き清め工程では、抗菌洗浄機能を有する界面活性剤と界面活性剤を希釈するための希釈成分とを含む抗菌洗浄剤を含有するシートにより、腔部を含む遺体頭部を拭き清める。本発明において、腔部とは、耳、鼻、口等の腔及びこれらの腔を形成する遺体の部分をいう。
【００１５】
この方法によれば、抗菌洗浄機能に優れた界面活性剤を構成成分とする抗菌洗浄剤で遺体の顔面等を拭き清めることにより、遺体の顔面等を清められるとともに、腔部を含む遺体頭部において抗菌処理できるため遺体の腐敗を抑えることができ、また、遺体内部での腐敗臭が漏出するのを抑えることができる。
請求項７に係る遺体の保存方法は、請求項５または６の遺体の保存方法において、遺体の周囲は、遺体頭部の下方を含む。
【００１６】
この方法によれば、特に、腔部が多く腐敗臭が漏出しやすい遺体頭部の下方に抗菌消臭剤を配置することで、遺体からの異臭の発生をより有効に抑えることができる。
請求項８に係る遺体の保存方法は、請求項５から７のいずれかの遺体の保存方法において、抗菌消臭剤配置工程は、シート配置工程を含む。シート配置工程では、抗菌消臭剤を含有するシートを遺体の周囲に配置する。
【００１７】
この方法によれば、具体的に、抗菌消臭剤を含有するシートを遺体の周囲に配置することによって、遺体からの異臭の発生が抑えられ、遺体保存に伴う作業性、取扱性等が改善される。
請求項９に係る遺体の保存方法は、請求項５から８のいずれかの遺体の保存方法において、抗菌消臭剤配置工程は、散布工程を含む。散布工程では、抗菌消臭剤を遺体に対し散布する。
【００１８】
この方法では、具体的に、抗菌消臭剤を散布する態様で遺体の周囲に配置することによって、遺体からの異臭の発生が抑えられ、遺体保存に伴う作業性、取扱性等が改善される。
【００１９】
【発明の実施の形態】
［遺体保存用具セット］
図１に、本発明の一実施形態が採用された遺体保存用具セット１の概要を示す。
この遺体保存用具セット１は、少なくとも一部が遺体の周囲に配置される遺体保存用具セットであって、抗菌消臭剤含有シート３と、抗菌消臭剤入り容器５と、抗菌洗浄剤含有シート７とを備えている。
【００２０】
抗菌消臭剤含有シート３は、抗菌消臭剤を含有し、遺体の周囲に配置される湿式シートである。抗菌消臭剤が含浸されるシートの材質としては、抗菌消臭剤の保持性に優れ、また、焼却炉の老廃化防止の観点から焼却が容易な材質であれば特に限定されず、具体的には、木綿，麻等の天然繊維、レーヨン，アセテート等の合成繊維を含む織布及び不織布、パルプ，紙，ウレタンスポンジ，セルローススポンジ，アクリル高分子架橋剤等の高分子吸収材を含有するシートが用いられる。また、抗菌消臭剤含有シート３は、ここでは、レトルトパウチ等の加圧加熱処理された包装材に封入されているが、ポリエチレンフィルム等の汎用の包装材によって包装されてもよい。
【００２１】
抗菌消臭剤は、主成分である穀物抽出成分と、界面活性剤と、希釈成分とを含む液剤であり、抗菌機能及び消臭機能を有している。
穀物抽出成分は、大豆、米、麦等の穀物から抽出された成分であり、主として各種アミノ酸類である。
界面活性剤には、ここでは、陽イオン系界面活性剤、両性イオン系界面活性剤、非イオン性界面活性剤が含まれ、例えば、陽イオン系界面活性剤としてはアルキルジメチル−ベンザルコニウムクロライドが用いられ、両性イオン系界面活性剤としてはラウリル−イミノ−ジプロピオン酸が用いられ、非イオン系界面活性剤としてはポリオキシ−プロピレングリコールが用いられる。
【００２２】
希釈成分は、穀物抽出成分を希釈するための成分であり、水、エタノール等の各種溶媒が用いられる。希釈倍率としては、上記穀物抽出成分及び界面活性剤に対し、体積ベースで１０〜１５倍程度が好ましい。
なお、本発明の抗菌消臭剤は、植物から抽出された植物抽出成分を、０．０５〜２０重量％含んでもよい。植物抽出成分としては、椿油、レモン油、レモングラス油、オレンジ油、ガムテレピン、セスキテルピン、ミルセン等の精油成分、杉、ヒバ、ヒノキ、松、桑、桜、熊笹、桃、ヨモギ等の抽出液等が使用される。植物抽出成分の含有量が、０．０５重量％未満では所定の抗菌効果及び消臭効果が得られにくくなり、２０重量％を超える場合は経済的でなく過剰な香気により雰囲気を損なってしまう。
【００２３】
抗菌消臭剤入り容器５は、抗菌消臭剤が充填される容器であって、プラスチック製ボトル、一部が開口されたプラスチック製開口容器、ガラス瓶、スプレー缶等が用いられるが、ここでは、抗菌消臭剤を細かい霧状にして遺体の周囲に散布できる点で、スプレー機能を有するガン６が装着された内容積２５０ｍｌ程度のプラスチック製容器５が好ましく用いられる。
【００２４】
抗菌洗浄剤含有シート７は、抗菌洗浄剤を含有し、主に遺体頭部を拭き清めるための湿式シートである。抗菌洗浄剤が含浸されるシートの構成は、抗菌消臭剤含有シート３と同様である。また、抗菌洗浄剤含有シート７は、ここでも、レトルトパウチ等の加圧加熱処理された包装材に封入されている。
抗菌洗浄剤は、界面活性剤と、希釈成分とを含んでおり、抗菌機能及び洗浄機能を有している。界面活性剤としては、毒性が低く作業性がよい点で、好ましくはグリシン系界面活性剤、より好ましくはアルキルポリアミノエチルグリシンが用いられる。また、界面活性剤としては、グリシン系界面活性剤の他に、メタノール，エタノール，イソプロパノール等の低級アルコール、四級アンモニウム塩，ピリジニウム塩，イミダゾリニウム塩，スルホニウム塩，ホスホニウム塩等のカチオン性界面活性剤、ベタイン型，アラニン型，スルホベタイン型の両性界面活性剤等が挙げられる。
【００２５】
また、抗菌洗浄剤は、遺体の顔面をより美しくすることができかつ抗菌性を向上させることができる点で、非イオン性界面活性剤を含むことが好ましい。このような非イオン性界面活性剤としては、例えば、ポリオキシエチレン（Ｃ１２〜Ｃ２２アルキル）エーテル、ポリオキシエチレン（Ｃ５〜Ｃ１５アルキルフェニル）エーテル等が用いられる。
【００２６】
本発明の界面活性剤は、両性界面活性剤またはカチオン性界面活性剤を主成分とするのが好ましい。両性界面活性としては、Ｎ，Ｎ，Ｎ−トリアルキル−Ｎ−（Ｃ１０〜Ｃ２０アルキレン）アンモニオカルボキシベタイン、Ｎ，Ｎ−ジアルキル−Ｎーβヒドロキシエチル−Ｎ−（Ｃ８〜Ｃ２０アルキレン）アンモニオカルボキシベタイン等のベタイン型両性界面活性剤、Ｎ−（Ｃ１０〜Ｃ２０アルキル）アミノエチルグリシン、Ｎ，Ｎ−ジ（Ｃ６〜Ｃ１２アルキルアミノエチル）グリシン、Ｎ−（Ｃ６〜Ｃ１２アルキルアミノエチル）−Ｎ−アルキルジ（アミノエチル）グリシン、Ｎ−（Ｃ１０〜Ｃ２０アルキル）オキシメチル−Ｎ，Ｎ−ジアルキルグリシン等のグリシン型両性界面活性剤、Ｎ−（Ｃ８〜Ｃ１４アルキル）アラニン等のアラニン型両性界面活性剤、Ｎ−（Ｃ８〜Ｃ１４アルキル）スルホタウリン、（Ｃ１２〜Ｃ２０アルキル）アミノメチルベンゼンスルホン酸等のスルホベタイン型両性界面活性剤が用いられる。
【００２７】
カチオン性界面活性剤としては、適宜置換されてもよいＣ８〜Ｃ２０アルキル基、Ｃ８〜Ｃ２０アルキルアミドエチル基、Ｃ４〜Ｃ１２アルキル基またはＣ６〜Ｃ１６アルコキシ基で置換されてもよいフェノキシエチル基、Ｃ８〜Ｃ１６アルキルカルボニル基、Ｃ６〜Ｃ２０アルキルアミノエチル基、Ｃ６〜Ｃ２０アルキルチオエチル基、Ｃ８〜Ｃ２０アルキルベンジル基、ベンジル基のうちいずれか１つ以上を有する四級アンモニウム塩、ピリジニウム塩、イミダゾリニウム塩、スルホニウム塩、ホスホニウム塩等が好ましく用いられる。
【００２８】
また、抗菌洗浄剤である上記両性界面活性剤が、グリシン型またはアラニン型両性界面活性剤である場合は、グリシン型またはアラニン型の両性界面活性剤の官能基であるアミノ基、カルボキシル基がそれぞれ二酸化炭素によって酸化されＮ−オキシド、過酸を生じる。Ｎ−オキシド、過酸は、いずれもタンパク質との反応性が高いため、筋肉中のミオグロビン等と反応し美しい肌色を呈することができるとともに、口唇を鮮やかな赤色に抵触させることができるため遺体の顔面、頸部、耳部の色調を整え活き活きとした様相を得ることができる。
【００２９】
希釈成分は、上記界面活性剤を希釈するための成分であり、水、エタノール等の各種溶媒が用いられる。希釈倍率としては、上記界面活性剤に対し、体積ベースで２０〜２５倍程度が好ましい。
また、抗菌洗浄剤は、上記抗菌消臭剤と同様に植物抽出成分を含んでもよい。上記抗菌消臭剤含有シート３、抗菌消臭剤入り容器５及び抗菌洗浄剤含有シート７はいずれも、１つのセットにつき複数ずつ含まれてもよく、また、１つのセットで使用するものを他のセットにおいて使用するようにしてもよい。
【００３０】
このように構成された遺体保存用具セット１を用いて遺体の保存作業を行う場合は、例えば、まず、包装材から取り出した抗菌洗浄剤含有シート７を用いて遺体頭部の開口部を中心に顔面等を拭き清めるとともに必要に応じて抗菌洗浄剤含有シート７を遺体の頸部に巻き付けることで抗菌洗浄処置を施す。次に、包装材から取り出した抗菌消臭剤含有シート３を必要に応じて抗菌消臭剤入り容器５の抗菌消臭剤をさらに含浸させて遺体頭部の下方等に配置する。
【００３１】
この状態で、遺体を抗菌消臭剤含有シート３ごと納棺する。このとき、遺体からの異臭が気になった場合等に必要に応じて抗菌消臭剤入り容器５により抗菌消臭剤を散布し、棺の蓋を閉める。この後、さらに遺体からの異臭が気になった場合は、抗菌消臭剤入り容器５から遺体の周囲に抗菌消臭剤をさらに散布してもよい。そして、出棺後は、抗菌消臭剤含有シート３は棺の中に残したまま焼却炉内で棺を焼却する。このとき、抗菌消臭剤含浸シート３は、棺と共に焼却される。
【００３２】
このようにして遺体の保存作業を行った場合、抗菌消臭剤として、抗菌消臭機能に優れた穀物抽出成分を主成分とするものが用いられるため、遺体に対し抗菌処置を施し、遺体からの異臭の発生を抑えられるとともに、刺激臭がないことから、遺体保存の際の作業性が改善される。
また、この遺体保存用セット１で用いられる抗菌消臭剤は、性質が穏やかであるため、簡素な構成の包装材で包装すれば済み、抗菌消臭剤含有シート３の取扱性、携帯性が改善される。
【００３３】
さらに、この遺体保存用セット１で用いられる抗菌消臭剤は、人体に対する影響が殆どないため、遺体保存作業を行う者の安全性が向上される。
［遺体の保存方法］
図２に本発明の一実施形態が採用された遺体の保存方法の概要を示す。
この保存方法は、拭き清め工程と、抗菌消臭剤配置工程と、納棺工程とを備えている。なお、ここでは、上記遺体保存用具セットを用いて遺体の保存方法を実施する場合を例に説明する。
【００３４】
拭き清め工程では、抗菌洗浄剤を含有する抗菌洗浄剤含有シートにより、遺体頭部の開口部を含む所定の部分を拭き清める。ここでは、特に、目、鼻、口等の腔部の他にも、しわ、むくんだ部分を重点的に拭き清めるのが好ましい。また、遺体の頸部に対しては、ここでは、抗菌洗浄剤含有シートで拭き清めるよりは、抗菌洗浄剤含有シートを巻き付けるのが好ましい。
【００３５】
抗菌消臭剤配置工程では、抗菌消臭剤を遺体の周囲に配置する。この抗菌消臭剤配置工程は、具体的には、シート配置工程及び散布工程を含んでいる。
シート配置工程では、遺体頭部の下方を含む遺体の周囲に抗菌消臭剤含有シートを配置する。この工程の後、納棺工程に移り、遺体及び抗菌消臭剤含有シートを棺内に配置する。このとき、抗菌消臭剤含有シートが、遺体頭部の下部と、棺内に遺体頭部の下方に載置される枕状部材との間に挟持されるよう配置する。
【００３６】
散布工程では、抗菌消臭剤を遺体の周囲に散布する。この工程は、例えば、上記シート配置工程及び容器配置工程後に異臭が気になった場合に行うのが有効である。具体的な散布の態様としては、例えば、容器としてスプレー機能を有するものを用いた場合は遺体の周囲に噴霧することが挙げられるが、他の種類の容器を用いた場合などはその容器から直接遺体の周囲に振り撒くことが挙げられる。
【００３７】
なお、抗菌消臭剤配置工程では、シート配置工程を必須とし、散布工程を任意とするのが好ましい。
このような保存方法によれば、抗菌消臭剤として抗菌消臭機能に優れた穀物抽出成分を主成分とするものを用いていることから、遺体からの異臭を抑えることができるとともに、刺激臭を有しないため、遺体保存の際の作業性が改善され、抗菌消臭剤含有シートの取扱性が改善される。また、この方法で用いられる抗菌消臭剤は、人体に対する影響が殆どないため、遺体保存作業を行う者の安全性が向上される。
【００３８】
［他の実施形態］
（ａ）上記遺体保存用具セットにおいて、抗菌消臭剤含有シートに代えて、抗菌消臭剤が含浸されていない乾式シートを用いてもよい。
（ｂ）抗菌消臭剤及び抗菌洗浄剤は、各成分として用いる材料及びそれらの構成比等は、抗菌及び消臭機能或いは抗菌及び洗浄機能を有するものであれば、特に限定されない。
【００３９】
（ｃ）抗菌消臭剤及び抗菌洗浄剤を保持する担体としては、シートに限定されず、活性炭、シリカゲル、硫化カルシウム等に抗菌消臭剤を吸着させた粉末状もしくは顆粒状のもの等であってもよい。
（ｄ）上記遺体の保存方法において、拭き清め工程は、必須の工程ではなく省略可能である。
【００４０】
【実施例】
以下、実施例に基づいて、本発明をより詳細に説明する。
まず、抗菌洗浄剤として、０．００５〜０．５％、好ましくは０．０１〜０．１％のアルキルポリアミノエチルグリシン溶液（サンケミファ社製、オバノール「ミツマル」を希釈したもの）を用意し、これを１０〜２０ｍｌ含浸させたガーゼ、不織布、布、脱脂綿等の布帛で遺体の顔面を数回、特に、目、鼻、口と、シワ及びむくみが見られる部分は、重点的に拭き清めた。また、拭き清めに用いたシートは、頸部に巻き付けた。
【００４１】
次に、抗菌消臭剤として、０．００５〜０．５％、好ましくは０．０１〜０．１％の穀物抽出成分溶液（ニッセキ社製、セントリスイーワンを希釈したもの）を用意し、これを１０〜２０ｍｌ含浸させたガーゼ等のシートを遺体頭部の下方に配置し、この状態で、遺体を抗菌消臭剤含有シートごと納棺した。
遺体を布団で覆った後、抗菌消臭剤を充填したスプレー式容器を用いて、適量の抗菌消臭剤を噴霧し、棺の蓋を閉めた。そして、所定時間経過後に出棺した。
【００４２】
本実施例では、抗菌洗浄剤により拭き清めることで、遺体の顔面、頸部は、速やかにシワが伸び、むくみや血班が消失し、自然な肌色を呈するようになった。また、抗菌消臭剤含有シートを遺体の周囲に配置等した結果、遺体からの異臭の発生は気にならず、また、出棺までの所定時間の間も遺体からの異臭が気になることはなかった。さらに、抗菌消臭剤を用いての遺体保存作業は、刺激臭を伴うこともなく、作業がし易く、また、作業をする者の安全性にも問題はなかった。
【００４３】
【発明の効果】
本発明の遺体保存用抗菌消臭剤では、抗菌消臭機能に優れた穀物抽出成分を用いていることから、遺体の周囲に配置することにより遺体からの異臭を抑えることができ、また、従来消臭剤として用いられていた二酸化塩素のような刺激臭がないことから、遺体保存に伴う作業性、取扱性が改善される。また、この抗菌消臭剤では、天然成分である穀物抽出成分を用いているため、二酸化塩素のような人体への影響が殆どなく、遺体保存作業の際の安全性が向上する。
【００４４】
本発明の遺体保存用シートでは、抗菌消臭機能に優れた穀物抽出成分を構成成分とする抗菌消臭剤を含んでいるため、遺体頭部の下方等の遺体の周囲に配置することにより遺体からの異臭の発生を抑えることができる。また、この遺体保存用シートでは、従来に比べ遺体保存に伴う作業性、取扱性等が改善される。
本発明の遺体保存用具セットでは、抗菌消臭機能に優れた穀物抽出成分を構成成分とする抗菌消臭剤を用いているため、遺体からの異臭の発生を抑えることができ、また、遺体保存に伴う作業性、取扱性等が改善される。
【００４５】
本発明の遺体の保存方法では、抗菌消臭機能に優れた穀物抽出成分を構成成分とする抗菌消臭剤を遺体の周囲に配置するため、遺体からの異臭の発生を抑えることができ、また、遺体保存に伴う作業性、取扱性等が改善される。
【図面の簡単な説明】
【図１】本発明の一実施形態が採用された遺体保存用具セットを示す概略図。
【図２】本発明の一実施形態が採用された遺体の保存方法を示す概略図。
【符号の説明】
１  遺体保存用具セット
３  抗菌消臭剤含有シート
５  抗菌消臭剤入り容器
７  抗菌洗浄剤含有シート
【図１】
2004224724.tif 000003
【図２】
2004224724.tif 000004